(57)【要約】【課題】燃焼物に共振しうる素粒子振動エネルギ−等を、燃焼物に直接または間接的に接触させて、燃焼時の排気ガスを減少さすための燃焼用の冷却水とと器具と燃料を提供する。【解決手段】燃焼用冷却水４・器具・燃料に素粒子の振動エネルギ−６を入力し、完全燃焼させて排ガスを減少さすようにした燃焼用冷却水・器具・燃料と、また燃焼用冷却水・器具に鉱石からなる一般粒子を混入し、完全燃焼させて排ガスを減少さすようにした燃焼用冷却水・器具と、さらに燃焼用冷却水・器具に磁気を入力し、完全燃焼させて排ガスを減少さすようにした燃焼用冷却水・器具を構成するものである。【選択図】図１
2008095055.tif 000002
【特許請求の範囲】
【請求項１】
燃焼用冷却水・器具・燃料に素粒子の振動エネルギ−を入力し、完全燃焼させて排ガスを減少さすようにしたことを特徴とする燃焼用冷却水・器具・燃料。
【請求項２】
燃焼用冷却水・器具に鉱石からなる一般粒子を混入し、完全燃焼させて排ガスを減少さすようにしたことを特徴とする燃焼用冷却水・器具。
【請求項３】
燃焼用冷却水・器具に磁気を入力し、完全燃焼させて排ガスを減少さすようにしたことを特徴とする燃焼用冷却水・器具。
【請求項４】
冷却水・器具・燃料が、車両・船舶・飛行機のジェットを含むエンジン、ガスタ−ビン、焼却炉である請求項１または請求項２または請求項３記載の燃焼用冷却水・器具・燃料。
【発明の詳細な説明】
【技術分野】
【０００１】  本発明は、発明者等が先に出願した実登第３１２１０１０号に関連したその周辺特許に係るものであって、更に詳しくは燃焼時の排気ガスを減少さす燃焼用の冷却水と器具と燃料に関するものである。
【背景技術】
【０００２】  先の実登第３１２１０１０号の出願は、主として素粒子の担持物を直接人体に接触させて、健康面に寄与させることのできる装置品または付着品に関するものであった。これに対して本発明は、素粒子等の入力物が配管等の金属透過を必要とする、間接的な燃焼用の冷却水を含む環境の改善に寄与しうる燃焼用の冷却水と器具と燃料に関するものである。【０００３】  本発明でいう燃焼用の冷却水とは、ラジエ−タの不凍液や冷却液であって、エンジンを間接的に冷却させる水等の液体のことである。また本発明でいう燃焼用の器具とは、エンジンや内燃機関などのジェットエンジンや燃焼機及び排気筒のフィルタ−等その付属設備を含むものであり、混入・付着して使用することもできる。さらに本発明でいう燃焼用の燃料とは、燃料の油等の他、燃焼用に送り込む空気を含むものである。そして本発明の冷却水・器具・燃料は、車両・船舶・飛行機のエンジン、ガスタ−ビン、焼却炉等の燃焼用に供されるものである。【０００４】  燃焼時に発生するＣＯ（一酸化炭素）やＨＣ（炭化水素）等の排気ガスは、地球の温暖化とも関連して、環境問題の最大の関心事となっており、この対策は強く望まれている。本発明は、その環境問題である燃焼時に発生する排気ガスを完全燃焼によっての減少させ馬力アップに寄与しうる方策を提供せんとするものである。【０００５】  地球上の物質の構成要素となっている分子は、それを辿ってゆくと原子であり、さらに原子は陽子と電子から構成され、それは中性子を経て素粒子という根源的な存在に至ると考えられており、地球上の全ての物質は１つ１つの素粒子からなっている。この素粒子は形ある粒子であると同時に、目に見えない振動エネルギ−として存在する。【０００６】  現在の物理学では、原子の中の空間には、「素粒子」が満ちあふれていると考えられている。小さな素粒子レベルで考えると、何もない筈の原子のまわりや原子の中には、電子や光子などの素粒子が突然飛び出す不思議な空間だとされている。そしてこの振動エネルギ−が「場」を作り、「場」の中にいる別の生命体の素である素粒子は、振動エネルギ−に共鳴してエネルギ−を得たり、あるいは相互にエネルギ−を与えあっている。【０００７】  素粒子振動エネルギ−は、直接的にはその存在を感知することは出来ないが、電波・光・音波・熱などによって、あらゆる物質を透過して即座に伝わって行くことができ、全ての素原料に入力することができる。そしてこの素粒子振動エネルギ−は、本発明の目的とする燃焼にも共鳴してその機能を発揮し、完全燃焼することによって環境の改善に寄与しうるものである。【０００８】  素粒子を生み出すための加速器の実験も、試みられている（例えば非特許文献１）。また素粒子の原理についての先行技術も開示されている（例えば特許文献１）。さらに素粒子の応用についての先行技術もある（例えば特許文献２）。然し、振動エネルギ−については、一般的な振動エネルギ−の利用方法に止まっている（例えば特許文献３）。
【非特許文献１】素粒子の世界へ  Ｎｅｗｔｏｎ  ８  ２００５
【特許文献１】特開２００５−３１０８０２号公報
【特許文献２】特開２００５−１０１５０９号公報
【０００９】  一方本発明でいう鉱石からなる一般粒子とは、トルマリン、ゲルマニウムなどの鉱石粒子で、特にラジウムを振動エネルギ−として発生するものは好ましい。この一般粒子は、冷却水に溶かしたり、フィルタ−からなる器具に固着させることができる。そして本発明でいう磁気を入力した冷却水とは、蛇口に磁石を取り付けて、磁気を入力さした冷却水のことで、磁石は排気筒のフィルタ−からなる器具に取り付けることもできる。従って本発明は、先の実登第３１２１０１０号と同様、波動商品の一環となっているものである。
【発明の開示】
【発明が解決しようとする課題】
【００１０】  そのために本発明は、燃焼物に共振しうる素粒子振動エネルギ−等を、燃焼物に直接または間接的に接触させて、燃焼時の排気ガスを減少さすための燃焼用の冷却水と器具と燃料の提供を課題とする。
【課題を解決するための手段】
【００１１】  本発明は、燃焼用冷却水・器具・燃料に素粒子の振動エネルギ−を入力し、完全燃焼させて排ガスを減少さすようにした燃焼用冷却水・器具・燃料を構成して上記の課題を解決した。【００１２】  また本発明は燃焼用冷却水・器具に鉱石からなる一般粒子を混入し、完全燃焼させて排ガスを減少さすようにした燃焼用冷却水・器具を構成して上記の課題を解決した。【００１３】  さらに本発明は、燃焼用冷却水・器具に磁気を入力し、完全燃焼させて排ガスを減少さすようにした燃焼用冷却水・器具を構成して上記の課題を解決した。
【発明の効果】
【００１４】  本発明の素粒子振動エネルギ−は、自然界の宇宙エネルギ−を水・空気・鉱物・金属などのあらゆる物質に生命エネルギ−として印荷させることができる。そのために、これを人工的に担持・入力させた物質を活用し、例えば燃焼の生命エネルギ−と共鳴させれば、本来の機能を発揮させて完全燃焼させることができ、それによって排ガスを減少させることができ、燃費が良くなり馬力アップすることができる。【００１５】  本発明の振動エネルギ−は、電波はもとより、光・音波でも伝わるので、電波・光・音の届く所では、同じように透過してその効果を発揮させることができる。【００１６】  本発明の振動エネルギ−は、担持物に印荷し、これを封着・混合して作用させることもでき、あるいは気体・液体・固体などのあらゆる物質に直接入力させて作用させることもできる。【００１７】  本発明の燃焼用の冷却水と器具と燃料は、車両・船舶・飛行機のジェットを含むエンジン、ガスタ−ビン、焼却炉などの燃焼用に利用することができる。
【発明を実施するための最良の形態】
【００１８】  本発明の燃焼用冷却水や器具や燃料には、素粒子の振動エネルギ−を印荷した担持物を封着することもできる。また担持物としては、金属やあらゆる鉱物やセラミックなどが使用でき、そのサイズもミクロンやナノサイズにして、素粒子の振動エネルギ−を入力することができる。そして担持物への素粒子振動エネルギ−の印荷は、一旦真空下で発生させる方法で行うことができる。また素粒子の振動エネルギ−を入れ込んだ物質は、水に溶かしたり、粉を再度成型して活用することもでき、さらに灰にして活用することもできる。【００１９】  以下、本発明の燃焼用に間接的に寄与する冷却水の例を、図面に基づいて説明する。
【実施例１】
【００２０】  図１は、本発明の燃焼用の冷却水からなる自動車エンジンの水冷装置の略示切欠断面図である。【００２１】  自動車エンジンの水冷装置１は、ピストン２、２を、ウォータージャケット３内の冷却水４によって冷却している。この冷却水４は、ラジエ−タ５からの冷却液をポンプＰによってウォ−タ−ジャケット３内の配管を循環し冷却される。従って、冷却水４は、直接ピストン２，２の燃焼に接触されているものではない。然し本発明は、この燃焼用の冷却水４内に振動エネルギ−の素粒子６等を入力している。【００２２】  冷却水４内に振動エネルギ−の素粒子６を入力させる方法としては、例えば脱臭力を有する酸化チタンの粉末に素粒子を印荷して担持させ、その担持粉末を間接的に冷却水内に分散させるようにしてもよい。あるいは冷却水内に直接、素粒子を入力させるようにしてもよい。また素粒子の発生は、真空下で行なうようにしてもよい。そして入力は、光などによって行なうこともできる。
【実施例１】
【００２３】  次の表１は、トヨタ自動車の販売店で、自動車カルディナ（２０００ｃｃ）のＣＯとＨＣの排気ガスの濃度を測定した結果である。なお使用油は、レギュラ−ガソリンである。通常水は普通の冷却水を使用した場合である。これに対し、素粒子入力水は、素粒子を入力した冷却水内を使用した場合の測定結果である。【００２４】  次の表１の結果から、従来の冷却水を使用した場合には、ＣＯが０．３４％，ＨＣが８０ｐｐｍの排気ガスがあった。ところが本発明の素粒子を入力した冷却水を使用すると、走行距離７１９ｋｍで素粒子入力水は、実に排気ガスのＣＯは、０．０７％になった。このＣＯは燃焼ガスであって、排ガスが美しくなったことを示している。また排気ガスのＨＣは、０ｐｐｍとなった。この排気ガスのＨＣは、不完全燃焼ガスであって、これは冷却水からエンジンシリンダ−内に、素粒子振動エネルギ−が熱で伝わり、従来不完全燃焼であったものが、冷却水に入力した振動エネルギ−の素粒子に共鳴して完全燃焼に至った結果であることを示しており、馬力（パワ−）アップにもなった。そして次の表１の結果は素粒子を入力した冷却水を使用すると、ＣＯ，ＨＣが、排気ガスとして殆ど出なくなったことを示している。【００２５】
【表１】
2008095055.tif 000003
【実施例２】
【００２６】  次の表２は、トヨタ自動車の販売店で、自動車マ−ク２（２５００ｃｃ）のＣＯとＨＣの排気ガスの濃度を測定した結果である。なお使用油は、ハイオクガソリンである。通常水は普通の冷却水を使用した場合であり、表２の素粒子入力水は、直接素粒子を入力した冷却水内を使用した場合の測定結果である。【００２７】  次の表２の結果から、従来の冷却水を使用した通常水の場合には、ＣＯが０．０８％，ＨＣが１０ｐｐｍの排気ガスがあった。ところが、本発明の素粒子を入力した冷却水を使用すると、走行距離２５０ｋｍで、実に排気ガスのＣＯは、０．０７％になった。このＣＯは燃焼ガスであって、排ガスが美しくなったことを示している。また排気ガスのＨＣは０ｐｐｍとなった。この排気ガスのＨＣは、不完全燃焼ガスであって、これは冷却水からエンジンシリンダ−内に、素粒子振動エネルギ−が熱で伝わり、従来不完全燃焼であったものが、冷却水に入力した振動エネルギ−の素粒子に共鳴して、完全燃焼に至った結果であることを示しており、馬力（パワ−）アップにもなった。従って次の表２の結果は、素粒子を入力した冷却水を使用すると、ＣＯ，ＨＣが、排気ガスとして殆ど出なくなったことを示したものである。【００２８】
【表２】
2008095055.tif 000004
【実施例３】
【００２９】  次の表３は、トヨタ自動車の販売店で、自動車日産マ−チ（１０００ｃｃ）のＣＯとＨＣの排気ガスの濃度を測定した結果である。なお使用油は、レギュラ−ガソリンである。通常水は普通の冷却水を使用した場合である。これに対し、素粒子入力水は、素粒子を入力した冷却水内を使用した場合の測定結果である。【００３０】  次の表３の結果から、従来の冷却水を使用した場合には、ＣＯが０．１１％，ＨＣが６０ｐｐｍの排気ガスがあった。ところが本発明の素粒子を入力した冷却水を使用すると、走行距離２６６ｋｍの素粒子入力水で、実に排気ガスのＣＯは、０．０７％になった。このＣＯは燃焼ガスであって、排ガスが美しくなったことを示している。また排気ガスのＨＣは、０ｐｐｍとなった。この排気ガスのＨＣは、不完全燃焼ガスであって、これは冷却水からエンジンシリンダ−内に、素粒子振動エネルギ−が熱で伝わり、従来の不完全燃焼が冷却水に入力した振動エネルギ−の素粒子に共鳴して、完全燃焼に至った結果であることを示しており、馬力（パワ−）アップになったことを示している。【００３１】
【表３】
2008095055.tif 000005
【実施例４】
【００３２】  次の表４はスズキ自動車の販売店で、自動車スズキ、エスク−ド（２０００ｃｃ）のＣＯとＨＣの排気ガスの濃度を測定した結果である。なお使用油は、レギュラ−ガソリンである。通常水は普通の冷却水を使用した場合である。これに対し、素粒子入力水は、素粒子を入力した冷却水内を使用した場合の測定結果である。【００３３】  次の表４の結果から、従来の冷却水を使用した場合には、ＣＯが０．０１％、ＨＣが１１０〜１２０ｐｐｍの排気ガスがあった。ところが本発明の素粒子を入力した冷却水を使用すると、素粒子入力水では、排気ガスのＣＯは、同じく０．０１％であった。ところが排気ガスのＨＣは、０ｐｐｍとなった。この排気ガスのＨＣは、不完全燃焼ガスであってこれは冷却水からエンジンシリンダ−内に、素粒子振動エネルギ−が熱で伝わり、従来、不完全燃焼であったものが、冷却水に入力した振動エネルギ−の素粒子に共鳴して、完全燃焼に至った結果であることを示しており、馬力（パワ−）アップになったことを示している。そして次の表４の結果は、素粒子を入力した冷却水を使用すると、ＣＯ，ＨＣが、排気ガスとして殆ど出なくなったことを示している。【００３４】
【表４】
2008095055.tif 000006
【実施例５】
【００３５】  次の表５は、トヨタ自動車の販売店で、自動車ダイハツ、ミニキャブ（６６０ｃｃ）のＣＯとＨＣの排気ガスの濃度を測定した結果である。なお使用油は、レギュラ−ガソリンである。通常水は普通の冷却水を使用した場合である。これに対し、鉱石粒子入力水は、トルマリンからなる一般粒子を入力した冷却水内を使用した場合の測定結果である。【００３６】
【表５】
2008095055.tif 000007
【００３７】  上記表５の結果から、従来の冷却水を使用した場合には、ＨＣは７０ｐｐｍの排気ガスがあった。ところが本発明の素粒子を入力した冷却水を使用すると、走行距離８１ｋｍの鉱石粒子入力水では、排気ガスのＣＯでは変化がなかったが、排気ガスのＨＣは、０ｐｐｍとなった。この排気ガスのＨＣは、不完全燃焼ガスであって、これは冷却水からエンジンシリンダ−内に、鉱石粒子の振動エネルギ−が熱で伝わり、従来の不完全燃焼が冷却水に入力した振動エネルギ−の粒子に共鳴して、完全燃焼に至った結果であることを示しており、馬力（パワ−）アップになったことを示している。そして上記表５の結果は、鉱石粒子を入力した冷却水を使用すると、特にＨＣが、排気ガスとして殆ど出なくなったことを示している。
【実施例６】
【００３８】  次の表６は、トヨタ自動車の販売店で、自動車マ−ク２（２５００ｃｃ）のＣＯとＨＣの排気ガスの濃度を測定した結果である。なお使用油は、ハイオクガソリンである。通常水は普通の冷却水を使用した場合であり、表６の磁気入力水は、蛇口に磁石を取り付けた水を使用した場合の測定結果である。【００３９】  次の表６の結果から、従来の冷却水を使用した場合には、ＨＣが５０ｐｐｍの排気ガスがあった。ところが本発明の磁気を入力した冷却水を使用すると、走行距離２１ｋｍの磁気入力水では、排気ガスのＣＯには効果がなかった。然し排気ガスのＨＣは、実に０ｐｐｍとなった。この排気ガスのＨＣは、不完全燃焼ガスであって、これは冷却水からエンジンシリンダ−内に、素粒子振動エネルギ−が熱で伝わり、従来の不完全燃焼が冷却水に入力した振動エネルギ−の素粒子に共鳴して完全燃焼し、ＨＣの排気ガスが全く出なくなった。【００４０】
【表６】
2008095055.tif 000008
【００４１】  本発明は、燃焼用冷却水と器具と燃料からなっている。上記の実施例は、この中で間接的で最も苛酷な条件で作用しなければならない燃焼用冷却水についての例を示した。従って、燃焼用の器具と燃料は、より以上の効果が期待できる。
【産業上の利用可能性】
【００４２】  本発明の燃焼用冷却水・器具・燃料は、車両・船舶・飛行機のジェットを含むエンジン、ガスタ−ビン、焼却炉等の燃焼用に広く適用することができるものである。
【図面の簡単な説明】
【００４３】
【図１】本発明の燃焼用の冷却水からなる自動車エンジンの水冷装置の略示切欠断面図である。
【符号の説明】
【００４４】１  水冷装置
２  ピストン
３  ウォ−タ−ジャケット
４  冷却水
５  ラジエ−タ
６  素粒子
Ｐ  ポンプ
【図１】
2008095055.tif 000009